(57)【要約】  ユーザ装置（ＵＥ）上のアプリケーションのカテゴリをプロビジョニングするための技術が開示される。無線ネットワークエレメントにおいて非アクセス層（ＮＡＳ）シグナリングを通して登録更新メッセージがＵＥから受信され得る。登録更新メッセージを受信することに応答して、ＡＣＤＣ（Application  Specific  Congestion  Control  for  Data  Communications）／ＡＳＡＣ（Application  and  Service  Access  Control）情報が、無線ネットワークエレメントからＵＥに伝達され得る。無線ネットワークの無線ネットワークチャネル状態が容量しきい値を越えると同時に、無線ネットワークエレメントにおいて、選択された優先順位付けレベルでＡＣＤＣ／ＡＳＡＣが起動され得るとともに、ＡＣＤＣ／ＡＳＡＣ情報に含まれるアプリケーションカテゴリのみがＵＥにおいて動作することをＡＣＤＣ／ＡＳＡＣが可能にする。
2016510583.tif 000002
【特許請求の範囲】
【請求項１】
移動機上のアプリケーションのカテゴリをプロビジョニングするように動作可能な無線ネットワークエレメントであって、当該無線ネットワークエレメントが、
ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が無線ネットワークにおいて起動される場合に前記無線ネットワークにアクセスすることを許可されるアプリケーションのカテゴリを含む事前設定されたアプリケーションカテゴリのホワイトリストを含んでいるＡＣＤＣ／ＡＳＡＣ情報を、前記移動機に伝達し、
前記無線ネットワークの無線ネットワークチャネル状態が容量しきい値を越えることを検知し、
前記容量しきい値が越えられると同時に、選択された優先順位付けレベルで前記ＡＣＤＣ／ＡＳＡＣを起動し、前記事前設定されたホワイトリストに含まれるアプリケーションのカテゴリのみが前記移動機において動作することを前記ＡＣＤＣ／ＡＳＡＣが可能にするように構成されるコンピュータ回路を有する、無線ネットワークエレメント。
【請求項２】
前記ＡＣＤＣ／ＡＳＡＣ情報が、前記移動機と関連付けられたホーム地理的領域により前記事前設定されたアプリケーションカテゴリのホワイトリストがオーバーライドされることが可能であるかどうかを示す、請求項１に記載のコンピュータ回路。
【請求項３】
前記ＡＣＤＣ／ＡＳＡＣ情報が、前記移動機と関連付けられたモバイルカントリーコード（ＭＣＣ）の外側に存在する地理的領域に対する前記ＡＣＤＣ／ＡＳＡＣ情報を、前記移動機が前記地理的領域内をローミングしている場合に前記移動機が受信することができるかどうかを示す、請求項１に記載のコンピュータ回路。
【請求項４】
前記ＡＣＤＣ／ＡＳＡＣ情報が、前記ＡＣＤＣ／ＡＳＡＣが前記無線ネットワークにおいて動作中である場合に前記事前設定されたアプリケーションカテゴリのホワイトリストにおける前記アプリケーションが定義された期間の間有効であるということを示す、請求項１に記載のコンピュータ回路。
【請求項５】
前記ＡＣＤＣ／ＡＳＡＣ情報が、前記ＡＣＤＣ／ＡＳＡＣが前記無線ネットワークにおいて動作中である場合に前記事前設定されたアプリケーションカテゴリのホワイトリストが前記移動機に適用される１つ又は複数の地理的位置を示す、請求項１に記載のコンピュータ回路。
【請求項６】
前記無線ネットワークエレメントが、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）を含み、前記ＡＮＤＳＦが、オープンモバイルアライアンスデバイス管理（ＯＭＡ−ＤＭ）プロトコルを使用して前記ＡＣＤＣ／ＡＳＡＣ情報を前記移動機に伝達する、請求項１に記載のコンピュータ回路。
【請求項７】
前記無線ネットワークエレメントが、ＡＣＤＣ／ＡＳＡＣサーバを含むと共に、前記ＡＣＤＣ／ＡＳＡＣサーバが、ハイパーテキスト転送プロトコル（ＨＴＴＰ）プロトコルを通して前記ＡＣＤＣ／ＡＳＡＣ情報を前記移動機に伝達する、請求項１に記載のコンピュータ回路。
【請求項８】
位置更新要求メッセージ、アタッチ要求メッセージ、ルーティングエリア更新要求メッセージ、トラッキングエリア更新要求メッセージ、又はサービス要求メッセージのうちの少なくとも１つを前記移動機から受信することに応答して、前記ＡＣＤＣ／ＡＳＡＣ情報を前記移動機に伝達するように更に構成される、請求項１に記載のコンピュータ回路。
【請求項９】
前記移動機と関連付けられた地理的領域を示す州インジケータを前記移動機に伝達するように更に構成される、請求項１に記載のコンピュータ回路。
【請求項１０】
前記ＡＣＤＣ／ＡＳＡＣ情報が、前記移動機の、汎用加入者識別モジュール（ＵＳＩＭ）、加入者識別モジュール（ＳＩＭ）、又は汎用ＩＣカード（ＵＩＣＣ）のうちの１つのための基礎ファイル（ＥＦ）に含まれる、請求項１に記載のコンピュータ回路。
【請求項１１】
前記ＥＦが、ＳＩＭツールキットを使用して前記移動機に伝達される、請求項１０に記載のコンピュータ回路。
【請求項１２】
前記ＡＣＤＣ／ＡＳＡＣ情報が、オープンモバイルアライアンス管理オブジェクト（ＯＭＡ−ＭＯ）として指定されるとともに、オープンモバイルアライアンスデバイス管理（ＯＭＡ−ＤＭ）プロトコルを使用して前記移動機に伝達される、請求項１に記載のコンピュータ回路。
【請求項１３】
前記ＡＣＤＣ／ＡＳＡＣが前記無線ネットワークにおいて起動されるとともに、前記移動機がホーム地理的領域の外側をローミングしている場合に、前記ＡＣＤＣ／ＡＳＡＣ情報において、前記事前設定されたアプリケーションカテゴリのホワイトリストにおける前記アプリケーションのうちの何れもが前記移動機において動作することを許可されないということを示す拒否理由を前記移動機に伝達するように更に構成される、請求項１に記載のコンピュータ回路。
【請求項１４】
前記移動機がホーム地理的領域の外側をローミングしている場合に、前記ＡＣＤＣ／ＡＳＡＣが前記無線ネットワークにおいて起動されるかどうかに関係なく、前記ＡＣＤＣ／ＡＳＡＣ情報において、前記事前設定されたアプリケーションカテゴリのホワイトリストにおける前記アプリケーションのうちの何れもが前記移動機において動作することを許可されないということを示す拒否理由を前記移動機に伝達するように更に構成される、請求項１に記載のコンピュータ回路。
【請求項１５】
前記移動機がホーム地理的領域の外側をローミングしているとともに、前記ＡＣＤＣ／ＡＳＡＣが前記無線ネットワークにおいて起動される場合に、前記事前設定されたアプリケーションカテゴリのホワイトリストが前記移動機において動作することを許可されるということを示す前記ＡＣＤＣ／ＡＳＡＣ情報を前記移動機に伝達するように更に構成される、請求項１に記載のコンピュータ回路。
【請求項１６】
前記ＡＣＤＣ／ＡＳＡＣ情報が、複数の地理的領域に対応する複数の事前設定されたアプリケーションカテゴリのホワイトリストを含み、前記移動機が前記地理的領域を通ってローミングする場合に、前記無線ネットワークエレメントが、前記事前設定されたアプリケーションカテゴリのホワイトリストのうちの少なくとも１つを起動する、請求項１に記載のコンピュータ回路。
【請求項１７】
前記ＡＣＤＣ／ＡＳＡＣ情報内の前記事前設定されたアプリケーションカテゴリのホワイトリストが、前記移動機と関連付けられたホーム地理的領域に対応し、前記移動機が前記ホーム地理的領域の外側をローミングする場合に、前記無線ネットワークエレメントが、追加の事前設定されたアプリケーションカテゴリのホワイトリストを伝達する、請求項１に記載のコンピュータ回路。
【請求項１８】
事前設定された優先順位付けされたアプリケーションカテゴリのホワイトリストに従ってアプリケーションを動作させるように動作可能なユーザ装置（ＵＥ）であて、当該ＵＥが、
登録更新メッセージを無線ネットワークエレメントに伝達し、
前記登録更新メッセージを伝達することに応答して、前記事前設定された優先順位付けされたアプリケーションカテゴリのホワイトリストを含んでいるＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を前記無線ネットワークエレメントから受信し、
ＡＣＤＣ／ＡＳＡＣが無線ネットワークにおいて起動される場合に前記事前設定された優先順位付けされたアプリケーションカテゴリのホワイトリストに含まれるアプリケーションのみを動作させ、前記ＡＣＤＣ／ＡＳＡＣが容量しきい値を越える無線ネットワークの無線ネットワークチャネル状態に応答して起動されるように構成されるコンピュータ回路を有する、ＵＥ。
【請求項１９】
前記無線ネットワークが前記容量しきい値を越えない場合に、前記無線ネットワークエレメントから更新された事前設定された優先順位付けされたアプリケーションカテゴリのホワイトリストを受信するように更に構成される、請求項１８に記載のコンピュータ回路。
【請求項２０】
ＡＣＤＣ／ＡＳＡＣシステム情報ブロック（ＳＩＢ）がｅＮＢにおいて一斉送信されていることをＵＥに通知するために、進化型ＮｏｄｅＢ（ｅＮＢ）からのページングメッセージにおいてＡＣＤＣ／ＡＳＡＣホワイトリスト通知を受信するように更に構成される、請求項１８に記載のコンピュータ回路。
【請求項２１】
前記無線ネットワークエレメントからのＳＩＢタイプ１（ＳＩＢ１）を受信したあとで、前記ｅＮＢからの前記ＡＣＤＣ／ＡＳＡＣ  ＳＩＢを受信するように更に構成され、前記ＵＥが、前記ＳＩＢ１に含まれるＡＣＤＣ／ＡＳＡＣ  ＳＩＢスケジューリング情報に従って前記ＡＣＤＣ／ＡＳＡＣ  ＳＩＢを受信するとともに、前記ＡＣＤＣ／ＡＳＡＣ  ＳＩＢが、更新されたホワイトリスト情報を含む、請求項２０に記載のコンピュータ回路。
【請求項２２】
前記ＡＣＤＣ／ＡＳＡＣ  ＳＩＢが、前記ＡＣＤＣ／ＡＳＡＣが前記無線ネットワークにおいて動作中であるかどうかを示し、もし前記ＡＣＤＣ／ＡＳＡＣが動作中であるならば、前記ＡＣＤＣ／ＡＳＡＣが一部例外ありでインバウンドローマーに適用できるかどうか、又は前記ＡＣＤＣ／ＡＳＡＣが例外なしでインバウンドローマーに適用できるかどうかを示す、請求項２１に記載のコンピュータ回路。
【請求項２３】
前記ＡＣＤＣ／ＡＳＡＣ  ＳＩＢが、選択されたグループの移動機に送信される追加の情報を含み、前記追加の情報が、移動機の特定のカテゴリを示し、前記追加の情報が、国際移動体加入者識別子（ＩＭＳＩ）、一時的移動体加入者識別子（ＴＭＳＩ）、及びグローバル一意一時識別子（ＧＵＴＩ）の特定の範囲を示す、請求項２１に記載のコンピュータ回路。
【請求項２４】
前記ＵＥが、アンテナ、タッチセンシティブ表示スクリーン、スピーカ、マイクロホン、グラフィックプロセッサ、アプリケーションプロセッサ、内部メモリ、又は不揮発性メモリポートを含む、請求項１８に記載のコンピュータ回路。
【請求項２５】
ユーザ装置（ＵＥ）上のアプリケーションのカテゴリをプロビジョニングするための方法であって、当該方法が、
無線ネットワークエレメントにおいて非アクセス層（ＮＡＳ）シグナリングを通して登録更新メッセージを前記ＵＥから受信するステップと、
前記登録更新メッセージを受信することに応答して、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を前記無線ネットワークエレメントから前記ＵＥに伝達するステップと、
無線ネットワークの無線ネットワークチャネル状態が容量しきい値を越えると同時に、前記無線ネットワークエレメントにおいて、選択された優先順位付けレベルで前記ＡＣＤＣ／ＡＳＡＣを起動するステップであって、前記ＡＣＤＣ／ＡＳＡＣ情報に含まれるアプリケーションのカテゴリのみが前記ＵＥにおいて動作することを前記ＡＣＤＣ／ＡＳＡＣが可能にする、ステップとを含む、方法。
【請求項２６】
前記ＡＣＤＣ／ＡＳＡＣ情報が、前記ＡＣＤＣ／ＡＳＡＣが前記無線ネットワークにおいて起動される場合に前記無線ネットワークにアクセスすることを許可される事前設定された優先順位付けされたアプリケーションカテゴリのホワイトリストを含む、請求項２５に記載の方法。
【請求項２７】
前記ＡＣＤＣ／ＡＳＡＣ情報が、
前記ＡＣＤＣ／ＡＳＡＣが前記無線ネットワークにおいて動作中である場合に前記事前設定されたホワイトリストにおける優先順位付けされたアプリケーションが有効にされる定義された期間、又は
前記ＡＣＤＣ／ＡＳＡＣが前記無線ネットワークにおいて動作中である場合に前記事前設定された優先順位付けされたアプリケーションカテゴリのホワイトリストが前記ＵＥに適用される地理的位置を示す、請求項２６に記載の方法。
【請求項２８】
前記ＡＣＤＣ／ＡＳＡＣ情報が、
前記ＵＥと関連付けられたホーム地理的領域により前記事前設定された優先順位付けされたアプリケーションカテゴリのホワイトリストがオーバーライドされることが可能であるかどうか、又は
前記ＵＥと関連付けられたモバイルカントリーコード（ＭＣＣ）の外側に存在する地理的領域に対する前記ＡＣＤＣ／ＡＳＡＣ情報を、前記ＵＥが前記地理的領域内をローミングしている場合に前記ＵＥが受信することができるかどうかを示す、請求項２６に記載の方法。
【発明の詳細な説明】
【背景技術】
【０００１】
「関連出願」
本願は、２０１３年３月２９日に出願され、事件整理番号Ｐ５５２７３Ｚを有する米国仮特許出願第６１／８０６，８２１号に対する優先権を主張するとともに、全ての目的のために、その全体の明細書は、その全体の参照によってここに組み込まれている。
【発明の概要】
【発明が解決しようとする課題】
【０００２】
無線移動体通信技術は、ノード（例えば伝送ステーション）と無線装置（例えば移動機）との間でデータを送信するために、様々な標準、及びプロトコルを使用する。いくつかの無線装置は、下りリンク（ＤＬ）伝送における直交周波数分割多元接続（ＯＦＤＭＡ）、及び上りリンク（ＵＬ）伝送における単一搬送波周波数分割多元接続（ＳＣ−ＦＤＭＡ）を使用して通信する。信号伝送のために直交周波数分割多重方式（ＯＦＤＭ）を使用する標準、及びプロトコルは、第３世代パートナーシッププロジェクト（３ＧＰＰ）ロングタームエボリューション（ＬＴＥ）、一般にＷｉＭＡＸ（Worldwide  interoperability  for  Microwave  Access：ワイマックス）として業界グループに知られている米国電気電子学会（Institute  of  Electrical  and  Electronics  Engineers：ＩＥＥＥ）８０２．１６標準（例えば、８０２．１６ｅ、８０２．１６ｍ）、及び一般にＷｉＦｉ（ワイファイ）として業界グループに知られているＩＥＥＥ８０２．１１標準を含む。
【０００３】
３ＧＰＰ無線アクセスネットワーク（ＲＡＮ）ＬＴＥシステムにおいて、ノードは、Ｅ−ＵＴＲＡＮ（Evolved  Universal  Terrestrial  Radio  Access  Network：進化型ユニバーサル地上無線アクセスネットワーク）のＮｏｄｅ  Ｂ（同様に進化型ＮｏｄｅＢ、拡張ＮｏｄｅＢ、ｅＮｏｄｅＢ、又はｅＮＢとして一般に表示される）と、ユーザ装置（ＵＥ）として知られている無線装置と通信する無線ネットワーク制御装置（Radio  Network  Controller：ＲＮＣ）との組み合わせであることができる。下りリンク（ＤＬ）伝送は、ノード（例えばｅＮｏｄｅＢ）から無線装置（例えばＵＥ）に対する通信であることができ、上りリンク（ＵＬ）伝送は、無線装置からノードに対する通信であることができる。
【０００４】
本開示の特徴及び利点は、一例として本開示の特徴を一緒に例示する添付図面と共に確認されるあとに続く詳細な説明から明白になるであろう。
【図面の簡単な説明】
【０００５】
【図１Ａ】一例による、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーション又はアプリケーションカテゴリの優先順位付けを例示するテーブルである。
【図１Ｂ】一例による、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）アプリケーション又はアプリケーションカテゴリの優先順位付けを例示するテーブルである。
【図２】一例による、ネットワークとユーザ装置（ＵＥ）との間のアプリケーション又はアプリケーションカテゴリの優先順位付けスキームの実装を例示する図である。
【図３】一例による、ロケーションエリアコード（ＬＡＣ）、ルーティングエリアコード（ＲＡＣ）、及びタイプアロケーションコード（ＴＡＣ）の組み合わせに基づいて定義される複数の地理的領域境界を例示する図である。
【図４】一例による、ユーザ装置（ＵＥ）から非アクセス層（ＮＡＳ）メッセージを受信することに応答してＵＥに州インジケータメッセージを伝達するネットワークエレメントを例示する図である。
【図５】一例による、移動機に伝達された基礎ファイル（ＥＦ）に含まれるＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を例示する図である。
【図６】一例による、ＵＥから非アクセス層（ＮＡＳ）メッセージを受信することに応答してＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を伝達するネットワークエレメントを例示する図である。
【図７】一例による、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が起動されるとともに、ユーザ装置（ＵＥ）がホーム地理的領域の外側をローミングしている場合に、事前設定されたアプリケーションカテゴリのリスト上のアプリケーションカテゴリがＵＥにおいて動作することを許可されないことを決定するネットワークエレメントを例示する図である。
【図８】一例による、ユーザ装置（ＵＥ）がホーム地理的領域の外側をローミングしている場合に、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が起動されるかどうかに関係なく、事前設定されたアプリケーションカテゴリのリスト上のアプリケーションカテゴリがＵＥにおいて動作することを許可されないことを決定するネットワークエレメントを例示する図である。
【図９】一例による、ユーザ装置（ＵＥ）がホーム地理的領域の外側をローミングしているとともに、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が起動される場合に、事前設定されたアプリケーションカテゴリのリスト上のアプリケーションカテゴリがＵＥにおいて動作することを許可されるかどうかを示すＡＣＤＣ／ＡＳＡＣ情報をＵＥに伝達するネットワークエレメントを例示する図である。
【図１０】一例による、移動機上のアプリケーションのカテゴリをプロビジョニングするように動作可能な無線ネットワークエレメントのコンピュータ回路の機能を描写する図である。
【図１１】一例による、事前設定された優先順位付けされたアプリケーションカテゴリのホワイトリストに従ってアプリケーションを動作させるように動作可能なユーザ装置（ＵＥ）のコンピュータ回路の機能を描写する図である。
【図１２】一例による、ユーザ装置（ＵＥ）上のアプリケーションのカテゴリをプロビジョニングするための方法のフローチャートを描写する図である。
【図１３】一例による、無線装置（例えばＵＥ）を例示する図である。
【発明を実施するための形態】
【０００６】
例示された代表的な実施例をここで参照するとともに、ここでは、同じことについて説明するために、特定の言語が使用されることになる。本発明の範囲の限定がそれにより意図されないということが、それでもなお理解されるであろう。
【０００７】
本発明が開示されて、説明される前に、この発明は、ここで開示される、特定の構造、処理ステップ、シグナリングプロトコル及びシグナリング交換、又は、材料に限定されないが、しかし、関連した技術の当業者により識別されるように、その等価物にまで拡張される、ということが理解されるべきである。ここで使用される用語は、特定の実例を説明するためのみに使用され、そして限定することを意図していない、ということが同様に理解されるべきである。異なる図面における同じ参照符号は、同じ構成要素を表す。フローチャート及び処理において提供される数字は、ステップ及び動作を例示する際に明瞭にするために提供され、特定の順序又はシーケンスを必ずしも示すとは限らない。
【０００８】
「実例の実施例」
技術の実施例の最初の概観が下記で提供され、それから、具体的な技術の実施例があとで更に詳細に説明される。この最初の要約は、読み手が更に迅速に技術を理解するのを援助することを意図しているが、しかし、技術の重要な特色又は本質的な特徴を特定することを意図していないとともに、権利請求された主題の範囲を限定することを意図していない。
【０００９】
移動機、タブレットコンピュータ、ラップトップコンピュータなどのようなユーザ装置（ＵＥ）にダウンロードされ、インストールされ、そして操作されているアプリケーションの数は、上昇傾向で継続的に増大している。これらのアプリケーションは、ソーシャルネットワーキングアプリケーション、オンラインショッピングアプリケーション、ニュースアプリケーション、教育アプリケーション、音楽アプリケーション、ビデオストリーミングアプリケーションなどを含み得る。３ＧＰＰを含むいくつかの標準開発機関（standard  developing  organization：ＳＤＯ）は、ＵＥで動作する増大するアプリケーションが、ネットワーク非能率性の主要原因であるということを特定した。これらのアプリケーションは、サービスに対するアクセスのせいで無線アクセスネットワーク（Radio  Access  Network：ＲＡＮ）及びコアネットワーク（Core  Network：ＣＮ）にわたる輻輳を（故意に、又は無意識に）引き起こす可能性がある。
【００１０】
ネットワーク輻輳の間、特に緊急事態の間、貴重な無線ネットワーク資源を保護するか、及び／又は解放するために、特定のアプリケーション又はアプリケーションのカテゴリ（例えば、ソーシャルネットワーキングアプリケーション、ビデオストリーミングアプリケーション）が無線ネットワークにアクセスすることを制限することが望ましいかもしれない。言い換えれば、無線ネットワーク又は無線ネットワークのチャネル状態が容量しきい値を越える場合に、特定のアプリケーションが制限され得る。さらに、特定のアプリケーション又はアプリケーションのカテゴリ（例えば緊急応答アプリケーション）は、これらの緊急事態が発生する場合に、無線ネットワークが輻輳しているならば優先順位を与えられ得る。その制限が、地域の／国家のネット中立性規則（net  neutrality  regulation）、又は全国的なネット中立性規則に従う限り、特定のアプリケーション又はアプリケーションのカテゴリは制限され得る。一例として、地理的領域における大地震のあとで、市民の安全を裏付けるパケットベースの通信アプリケーション（例えば、災害用伝言板（Disaster  Message  Board）サービス、災害用音声お届け（Disaster  Voice  Messaging）サービス）は、天災又は特に報道価値のある事象が発生する場合に、緊急事態の間、ビデオストリーミングアプリケーションより上の優先順位を与えられるかもしれない。
【００１１】
同様に、他の問題を引き起こすアプリケーション、例えばユーザの承諾なしでプライバシ情報を開示するアプリケーション、又は地域条例により禁止される非合法活動を奨励するアプリケーションが存在する。その制限が地域の／国家のネット中立性規則、又は全国的なネット中立性規則に従う限り、無線ネットワークにアクセスすることからこれらの問題のあるアプリケーションを制限することが望ましいかもしれない。
【００１２】
３ＧＰＰにおいて、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ：データ通信のための特定用途向け輻輳制御）の検討が、ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ：アプリケーション及びサービスアクセス制御）と呼ばれる研究のサブセットをもたらした。ＡＣＤＣ／ＡＳＡＣは、さらに、３ＧＰＰ技術報告書（ＴＲ）２２．８０６  Ｖ１．０．０において説明される。ＡＣＤＣとＡＳＡＣの両方は、事前設定されるべき、又はＵＥにダウンロードされるべき許可されたアプリケーション又はアプリケーションカテゴリの“ホワイトリスト／複数のホワイトリスト”を承認した。ここで使用されるように、用語“ホワイトリスト”は、一般に、ＡＣＤＣ／ＡＳＡＣが無線ネットワークにより起動される場合にユーザ装置（ＵＥ）において動作することを許可されるアプリケーション又はアプリケーションのカテゴリのリストのことを指す。用語“アプリケーションカテゴリ”又は“アプリケーションのカテゴリ”は、互換的に使用され得るとともに、一緒にグループ化される１つ又は複数のアプリケーションを示すことができる。例えば、ソーシャルネットワークアプリケーションは、第１のアプリケーションカテゴリにグループ化され得るとともに、年齢１８〜３５歳のユーザの間で最もポピュラーなアプリケーションは、第２のアプリケーションカテゴリにグループ化され得る。“ホワイトリスト”は、無線ネットワークにより必要に応じて動的に構成され得るか、又はプロビジョニングされ得る。したがって、ネットワーク輻輳は、ＡＣＤＣ又はＡＳＡＣがネットワークオペレータにより起動される場合に、ＵＥにより開始されるべき“ホワイトリスト”にリストされていないアプリケーション又はアプリケーションのカテゴリを一時的に阻止することによって、緩和され得る。ＡＣＤＣ／ＡＳＡＣは、地域の／国家の規則、又は全国的な規則に従ってネットワーク輻輳を軽減するために起動され得る。
【００１３】
無線ネットワークにアクセスすることを許可される事前設定されたアプリケーション又はアプリケーションカテゴリのホワイトリストは、ネットワーク輻輳の軽減に貢献するかもしれないが、しかし、事前設定されたホワイトリスト上の競合する承認されたアプリケーションによって引き起こされたネットワーク輻輳を必ずしも緩和するとは限らないかもしれない。言い換えれば、事前設定されたホワイトリスト上の様々な承認されたアプリケーションが、それにもかかわらずネットワーク輻輳を引き起こすかもしれない。しかしながら、下記のさらなる詳細において論じられたように、事前設定されたホワイトリスト上の競合している承認されたアプリケーションによって引き起こされたネットワーク輻輳は緩和され得る。
【００１４】
ＡＣＤＣ／ＡＳＡＣ機能は、２つのエンドポイント、具体的にはＵＥとネットワークエレメントとを横断して実行され得る。一例において、ネットワークエレメントは、ＡＣＤＣ／ＡＳＡＣサーバを含み得る。ＡＣＤＣ／ＡＳＡＣサーバは、モバイルネットワークオペレータ（mobile  network  operator：ＭＮＯ）の観点から、ＵＥ上のＡＣＤＣ／ＡＳＡＣホワイトリストをプロビジョニングする他に、全体のＡＳＡＣ機能を起動し、終了し、そして管理するネットワークエンティティである。一構成において、ＡＣＤＣ／ＡＳＡＣサーバは、独立型ネットワークエンティティであり得るとともに、この構成において、ＡＣＤＣ／ＡＳＡＣサーバは、ＵＥと通信するためにＳＯＡＰ（Ｓｉｍｐｌｅ  Ｏｂｊｅｃｔ  Ａｃｃｅｓｓ  Ｐｒｏｔｏｃｏｌ：簡易オブジェクトアクセスプロトコル）／拡張マークアップ言語（ＸＭＬ）ベースの転送を使用し得る。その代わりに、ＡＣＤＣ／ＡＳＡＣサーバは、他のネットワークエンティティと一緒に配置され得る。例えば、ＡＣＤＣ／ＡＳＡＣサーバは、モビリティ管理エンティティ（Mobility  Management  Entity：ＭＭＥ）と一緒に配置され、ＵＥと通信するために非アクセス層（non-access-stratum：ＮＡＳ）転送を使用し得る。さらに、ＡＣＤＣ／ＡＳＡＣサーバは、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ：アクセスネットワーク発見選択機能）と一緒に配置され得るとともに、ＵＥと通信するためにオープンモバイルアライアンスデバイス管理（Open  Mobile  Alliance  Device  Management：ＯＭＡ−ＤＭ）転送を使用する。
【００１５】
ＡＣＤＣ／ＡＳＡＣが起動される場合に、アプリケーション又はアプリケーションのカテゴリは、アプリケーション又はアプリケーションカテゴリの承認されたリストに従って優先順位を付けられ得る。言い換えれば、アプリケーションのカテゴリ（例えば緊急サービスアプリケーション）は、ネットワーク輻輳又は緊急事態の間、優先順位を付けられ得る。ネットワーク輻輳は、無線ネットワークの無線ネットワークチャネル状態が容量しきい値を越える場合に発生し得る。さらに、アプリケーションのカテゴリは、オペレータがネットワーク中立性によって束縛されない非ＡＣＤＣ状態の間、優先順位を付けられ得る（すなわち、インターネットサービスプロバイダが、インターネット上の全てのデータを等しく扱うべきであるとともに、特定のタイプの内容又はアプリケーションを差別しない原則）とともに、異なる処置をＵＥ上のアプリケーション及び通常の非緊急状態におけるネットワークに適用することを合法的に許可される。
【００１６】
優先順位付けスキームは、ある種の値を事前設定されたアプリケーション又はアプリケーションカテゴリのリスト上の各アプリケーション又はアプリケーションカテゴリに割り当てることによって達成され得る。それらの値は、数値であるか、アルファベットであるか、文字列であるか、又はそれの組み合わせであり得る。
【００１７】
図１Ａは、ＡＣＤＣアプリケーションの代表的な優先順位付けスキームを例示する。オプション１において、アプリケーションＡ及びＢは、第１の優先順位レベル（すなわちＮ）を与えられ、アプリケーションＣ及びＤは、第２の優先順位レベル（すなわちＮ＋１）を与えられ、アプリケーションＥ及びＦは、第３の優先順位レベル（すなわちＮ＋２）を与えられ、アプリケーションＧ及びＨは、第４の優先順位レベル（すなわちＮ＋３）を与えられる。その代わりに、優先順位付けスキームは、ＡＣＤＣアプリケーションカテゴリに適用され得る。例えば、アプリケーションカテゴリＡ及びＢは、第１の優先順位レベルを与えられることができ、ここで、アプリケーションカテゴリＡは、アプリケーションＱ及びＲを含み、アプリケーションカテゴリＢは、アプリケーションＳ及びＴを含む。オプション２において、アプリケーション及び／又はアプリケーションカテゴリは、さらに細かい精度（例えば、Ｎ、Ｎ＋１、Ｎ＋３など）によって優先順位を付けられ得る。
【００１８】
ＡＣＤＣ／ＡＳＡＣ状態が起動される場合に、ＵＥは、承認されたリスト上のアプリケーション又はアプリケーションカテゴリの開始を許可し得る。結果的に、１を超えるアプリケーション又はアプリケーションカテゴリがＵＥ上で開始される場合に、ＵＥは、アプリケーション又はアプリケーションカテゴリに割り当てられた優先順位付けの値に従って、開始に優先順位を付け得る。したがって、ホワイトリスト上の全てのアプリケーション又はアプリケーションカテゴリがＵＥにより開始されることを許可されるという仮定が行われ得る。ＵＥは、その場合に、マルチタスクシナリオでこれらのアプリケーション又はアプリケーションカテゴリを実行するために、もしＵＥ上に競合する要求が存在するならば、各アプリケーション又はアプリケーションカテゴリに割り当てられた優先順位レベルに従って異なるアプリケーション又はアプリケーションカテゴリの間の優先順位を決定し得る。
【００１９】
代替構成において、ネットワークオペレータは、ネットワーク輻輳状態に基づいて、異なるレベルのＡＣＤＣ／ＡＳＡＣを起動することができ、それにより、その状態レベルに対して許可された優先順位付けされたアプリケーションのみを許可し、ホワイトリスト上の残りのアプリケーションを許可しない。したがって、ネットワークオペレータは、その状態レベルに対して許可された優先順位付けされたアプリケーションカテゴリのみを許可し、ホワイトリスト上の残りのアプリケーションカテゴリを許可しない。異なるレベルのＡＣＤＣ／ＡＳＡＣは、ホワイトリスト上の特定のアプリケーションがリスト上の他のアプリケーションより上の無線ネットワークに対する優先的なアクセス権（priority  access）を与えられることをオペレータが保証する必要がある状況において有益であり得る。例えば、大地震の勃発時、オペレータは、異なるレベルのＡＣＤＣ／ＡＳＡＣが起動される場合に、ＹｏｕＴｕｂｅ（登録商標）に対するビデオアップロード（例えば特定のアプリケーション）が２４時間後にアクセス権を与えられる一方、災害用伝言板（Disaster  Message  Board）が無線ネットワークにアクセスすることを許可される、ということを保証することを望むかもしれない。その代わりに、オペレータは、緊急サービスアプリケーションが無線ネットワークと通信することのみを許可する一方、大地震の勃発時から２４時間の間全てのビデオストリーミングアプリケーション（例えば特定のアプリケーションカテゴリ）を制限し得る。
【００２０】
図１Ｂは、アプリケーションがＵＥによって開始されることを許可される場合に、オペレータが、アプリケーションのＡＣＤＣ又はＡＳＡＣホワイトリスト、及び対応するＡＣＤＣ／ＡＳＡＣ状態レベルに基づいて、どのように様々な許可されたアプリケーションに優先順位をつけるであろうかを例示する代表的な優先順位付けスキームである。その代わりに、図１Ｂにおける優先順位付けスキームは、ＡＣＤＣ／ＡＳＡＣ状態レベルに基づいて許可される特定のアプリケーションカテゴリに対して適用され得る。それらの値は、数値であるか、アルファベットであるか、文字列であるか、又はそれの組み合わせであり得る。例えば、“Ａ”は、緊急応答アプリケーション又は緊急応答アプリケーションカテゴリを示し得る。図１Ｂにおいて示されるように、“Ａ”及び“Ｂ”は、状態レベルＮで無線ネットワークにアクセスすることを許可され得るが、しかし“Ｃ”から“Ｈ”までは、未来時まで許可されないかもしれない。例えば、無線ネットワークが状態Ｎ＋２及びＮ＋３を許可する場合に、“Ｅ”及び“Ｆ”のみが無線ネットワークにアクセスすることができる。
【００２１】
図１Ｂにおいて示されるように、“Ｃ”から“Ｈ”までが無線ネットワークにアクセスすることを許可される場合に、“Ａ”及び“Ｂ”は、同様に、無線ネットワークにアクセスすることを許可され得る。言い換えれば、“Ａ”及び“Ｂ”は、状態レベルＮ、Ｎ＋１、Ｎ＋２、及びＮ＋３の間、許可され得る。したがって、“Ａ”及び“Ｂ”は、第１の優先順位レベルを与えられることができ、“Ｃ”及び“Ｄ”は、第２の優先順位レベルを与えられることができ、“Ｅ”及び“Ｆ”は、第３の優先順位レベルを与えられることができ、そして“Ｇ”及び“Ｈ”は、第４の優先順位レベルを与えられることができる。図１Ｂにおいて示されるように、状態レベルＮ＋１の間、“Ａ”から“Ｄ”までは無線ネットワークにアクセスすることを許可され得るが、しかし“Ｅ”から“Ｈ”までは無線ネットワークにアクセスすることを許可されない、などのようになる。
【００２２】
図２は、ネットワークとユーザ装置（ＵＥ）との間のアプリケーション又はアプリケーションカテゴリの優先順位付けスキームの代表的な実装を例示する。進化型ＮｏｄｅＢ（ｅＮＢ）を通して、ネットワークはＡＣＤＣ／ＡＳＡＣ状態を起動し得るとともに、ＵＥは、ＡＣＤＣ／ＡＳＡＣ状態に従ってアプリケーション又はアプリケーションのカテゴリを開始し得るか、又は動作させ得る。ネットワークは、ＭＭＥ、ＡＮＤＳＦ、又は専用のＡＣＤＣ／ＡＳＡＣサーバのようなネットワークエレメントを含み得る。したがって、ＡＣＤＣ／ＡＳＡＣ状態の動作は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００２３】
図２において示されるように、ネットワークは、ＡＣＤＣ／ＡＳＡＣ状態レベルＮを起動し得る。その結果、ＵＥは、アプリケーションＡ及びＢ（又はアプリケーションカテゴリＡ及びＢ）のみを開始し得るか、又は動作させ得る。
【００２４】
ホワイトリスト上の他のアプリケーション又はアプリケーションカテゴリは、状態レベルＮの間、起動されることを許可されない。もし追加のネットワークトラフィックを提供するためにネットワーク輻輳レベルが十分に緩和されることをオペレータが判定するならば、ネットワークは、ＡＣＤＣ／ＡＳＡＣ状態レベルＮ＋１を起動し得る。その結果、ＵＥは、アプリケーションＡ、Ｂ、Ｃ、及びＤ（又はアプリケーションカテゴリＡ、Ｂ、Ｃ、及びＤ）のみを開始し得るか、又は動作させ得る。さらに、ネットワークは、ＡＣＤＣ／ＡＳＡＣ状態レベルＮ＋３を起動することを決定するかもしれない。その結果、ＵＥは、アプリケーションＡ、Ｂ、Ｃ、Ｄ、Ｅ、Ｆ、Ｇ、及びＨ（又はアプリケーションカテゴリＡ、Ｂ、Ｃ、Ｄ、Ｅ、Ｆ、Ｇ、及びＨ）を開始し得るか、又は動作させ得る。言い換えれば、ホワイトリスト上のアプリケーション又はアプリケーションカテゴリの全ては、ＵＥにより起動されることを許可され得る。
【００２５】
オペレータは、そのサービス領域内の様々な法的な要求事項に支配され得る。例えば、国Ａにおける州Ｘは、州Ｙより、様々な法的な要求事項及び優先事項を有しているかもしれない。この場合、オペレータは、加入者のＵＥを設定し、そして、地理的領域の間の差異を明らかにするように、その無線ネットワークをプロビジョニングする。一構成において、ＵＥは、異なる領域の異なるホワイトリストを事前設定され得る。ＵＥが異なる領域を通ってローミングすると、無線ネットワークは、動的に適切なホワイトリストを有効にし、前のホワイトリストを無効にし得る。例えば、ＵＥは、地理的領域Ａ、Ｂ、及びＣのためのホワイトリストを事前設定され得る。ＵＥが領域Ａにある場合に、領域Ａに対応するホワイトリストのみが有効にされ得るが、しかしＵＥが領域Ｂにローミングする場合に、領域Ｂに対応するホワイトリストが有効にされ得るとともに、領域Ａに対応するホワイトリストが無効にされ得る。
【００２６】
代替構成において、加入者がサービスにサインアップする場合に、ＵＥは、ホーム領域の適切なホワイトリストのみを事前設定され得る。ＵＥが異なる領域にローミングすると、無線ネットワークは、現在のホワイトリストを新たに管理するホワイトリストと動的に交換し得る。一例として、領域Ａにある場合に、ＵＥは、領域Ａに対応するホワイトリストを受信し得る。ＵＥが領域Ｂにローミングする場合に、ＵＥは、領域Ｂに対応するホワイトリストを受信し得るとともに、領域Ａに対応するホワイトリストは、もはやＵＥに適用されないかもしれない。
【００２７】
ＵＥがホーム地理的領域の外側をローミングする場合に、ＵＥがローミングしている地理的領域におけるネットワークオペレータは、現在ＵＥに実装されているホワイトリストを支持する（honor）か否かを判定し得る。例えば、ＵＥは、領域Ａに対応するホワイトリストを実装しているかもしれないとともに、ＵＥは、領域Ｂにローミングするかもしれない。領域Ｂにおける無線ネットワークオペレータは、ＵＥが領域Ａに対応するホワイトリストを使用することを続けることができるかどうか、又は、ＵＥのホワイトリストが領域Ｂに対応するホワイトリストに交換されるべきであるかどうかを判定し得る。言い換えれば、ＵＥの領域Ａのためのホワイトリストは、ネットワークオペレータによって支持されないかもしれない。
【００２８】
図３は、ロケーションエリアコード（ＬＡＣ）、ルーティングエリアコード（ＲＡＣ）、及びタイプアロケーションコード（ＴＡＣ）の組み合わせに基づいて定義される複数の地理的領域境界を例示する。多くの無線ネットワークと同様に、３ＧＰＰシステムにおいて、地理的な州の境又は国境は、移動機器には識別しにくいかもしれない。図３が明白な地理的境界を例示する一方、これらの境界は、様々なセル、例えば異なる国又は領域の公衆陸上移動ネットワーク（Public  Land  Mobile  Network：ＰＬＭＮ）により供給され得る。セルＩＤ、ロケーションエリアコード（Location  Area  Code：ＬＡＣ）、ルーティングエリアコード（Routing  Area  Code：ＲＡＣ）、及びタイプアロケーションコード（Type  Allocation  Code：ＴＡＣ）、モバイルカントリーコード（Mobile  Country  Code：ＭＣＣ）、モバイルネットワークコード（Mobile  Network  Code：ＭＮＣ）のような場所が関連する特性は、一般に境界の正確な地理的なマッピングを提供するように設計されていない。しかしながら、ＬＡＣ又はＲＡＣ又はＴＡＣの組み合わせは、国又は国家の州を標示するか、又は識別することができる。言い換えれば、同様の特性又は識別子を有するＬＡＣ又はＲＡＣ又はＴＡＣを分類することは、移動機と関連付けられた地理的領域を推論し得る。そのような国家的な表示は、国家の取締機関により制御されて管理され得るとともに、その国家／国の中で活動しているオペレータにより受容されて順守され得る。
【００２９】
図４は、ユーザ装置（ＵＥ）又は移動局（mobile  station：ＭＳ）に州インジケータメッセージ（state  indicator  message）（又は地域インジケータメッセージ（regional  indicator  message））を伝達するネットワークエレメントを例示する。州インジケータメッセージは、ＵＥの現在の地理的領域（例えば、ユタ州）を含み得る。ネットワークエレメントは、ＵＥにより実行される非アクセス層（ＮＡＳ）登録又は登録更新に応答して、州インジケータメッセージを伝達し得る。ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに伝達し得る。ネットワークは、州インジケータの表示を含んでいる、位置更新受容メッセージ、アタッチ受容メッセージ、ルーティングエリア更新受容メッセージ、トラッキングエリア更新受容メッセージ、又は他のタイプのＮＡＳネットワークからＵＥ（network-to-UE）応答メッセージによって応答し得る。代替構成において、州インジケータ又は領域インジケータは、システム同報情報において一斉送信され得る。
【００３０】
“州−インジケータ”は、８ビットが州のバイナリデコードであるオクテットを使用して国の中の州を独自に識別し得る。１つのオクテット又は８ビットは、米国における州の数（すなわち５０州）に対して十分であり得る。さらに、１つのオクテットは、８３個の区画、共和国、及び／又は地方を有するロシアのような国に対して十分であり得る。
【００３１】
移動機は一般に移動機が移動機と関連付けられた州（又は小区域）を知ることを可能にする全地球測位システム（ＧＰＳ）機能を含むが、そのような情報は、一般に、地域の要求事項が有効であるかどうかを示さない。従って、ＧＰＳ情報が、上記で説明された州インジケータメッセージに加えて使用され得る。
【００３２】
図５は、移動機に伝達された代表的な基礎ファイル（ＥＦ）に含まれるＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を例示する。ここで使用される用語“ＡＣＤＣ／ＡＳＡＣ情報”及び“ＡＣＤＣ／ＡＳＡＣ適用範囲及びアプリケーションカテゴリリスト”は、互換的に使用され得る。ＥＦファイルは、ＯＭＡ−ＤＭ又は加入者識別モジュールツールキット（又はＳＩＭＴｏｏｌｋｉｔ）を使用して、移動機に対してプロビジョニング又はプリプロビジョニングされ得る。プロビジョニング又はプリプロビジョニングのためのＯＭＡ−ＤＭ又はＳＩＭＴｏｏｌｋｉｔの使用は、移動機、及びオペレータ／無線ネットワークが地域の要求事項及び／又はローミングの要求事項を有効にするのを可能にする表示、方法、又は要因を含み得る。移動機がホーム領域と異なる領域にある場合に、地域の要求事項が有効にされ得る。ここで使用される用語“無関係の領域（foreign  region）”は、一般に、ホーム領域と異なる移動機の領域のことを指し得る。無関係の領域は、移動機によってローミングされる領域を含み得る。
【００３３】
ＥＦファイル内のＡＣＤＣ／ＡＳＡＣ情報は、移動機の、汎用加入者識別モジュール（ＵＳＩＭ）、加入者識別モジュール（ＳＩＭ）、又は汎用ＩＣカード（ＵＩＣＣ）のためのものであり得るとともに、ＳＩＭツールキットを使用して移動機に伝達され得る。その代わりに、ＡＣＤＣ／ＡＳＡＣ情報が、オープンモバイルアライアンス管理オブジェクト（Open  Mobile  Alliance  management  object：ＯＭＡ−ＭＯ）として指定され得るとともに、オープンモバイルアライアンスデバイス管理（Open  Mobile  Alliance  Device  Management：ＯＭＡ−ＤＭ）プロトコルを使用して移動機に伝達され得る。さらに、ＥＦファイル及びＯＭＡ−ＭＯの両方は、移動機に対するＡＣＤＣ／ＡＳＡＣ情報の引き渡し、プロビジョニング、プリプロビジョニングの間に含まれ得る。
【００３４】
先に述べたように、ＡＣＤＣ／ＡＳＡＣ情報（又は、ＡＣＤＣ／ＡＳＡＣ適用範囲及びアプリケーションカテゴリリスト）は、ＡＣＤＣ／ＡＳＡＣの制御情報及び管理情報と、ホワイトリスト化されたアプリケーション及び／又はアプリケーションカテゴリとを含み得る。リストは、自国の領域（州又は省など）がホワイトリスト化されたアプリケーションに対するオーバーライド（override）を提供できるかどうかのような複数のインジケータを含み得る。言い換えれば、リストは、ホーム領域におけるネットワークオペレータが現在ＵＥに実装されているホワイトリストを新しいホワイトリストによってオーバーライドすることができるかどうかを示し得る。リストは、ＭＣＣの外側をローミングしている移動機が、無関係の領域のＡＣＤＣ／ＡＳＡＣの有効化及びＡＣＤＣ／ＡＳＡＣの事前設定されたホワイトリストのような、ＡＣＤＣ／ＡＳＡＣ適用情報を取得することができるかどうかを示し得る。言い換えれば、リストは、移動機が、無関係の領域のＡＣＤＣ／ＡＳＡＣスキームを導入するか、又は移動機のホーム領域に対応するＡＣＤＣ／ＡＳＡＣスキームを使用することを継続するかどうかを示し得る。ＡＣＤＣ／ＡＳＡＣ情報に従ってＭＣＣのオーバーライドが許可される場合に、特定のＭＣＣ（例えばＭＣＣ１、ＭＣＣ２、ＭＣＣａ、ＭＣＣｂ）を有するＭＣＣリストが含まれ得る。一例において、もし新しいネットワークオペレータが移動機の以前のＡＣＤＣ／ＡＳＡＣを支持するならば、移動機は、以前のＡＣＤＣ／ＡＳＡＣスキームを使用することを継続し得る。
【００３５】
ＡＣＤＣ／ＡＳＡＣ適用範囲及びアプリケーションカテゴリリストは、ホワイトリスト化されたアプリケーション又はアプリケーションカテゴリの優先順位付け情報、すなわちアプリケーション又はアプリケーションカテゴリの提供されたリストが優先順位付けされた順番になっているかどうかの表示を含み得る。例えば、特定のアプリケーションカテゴリ（例えば、緊急応答アプリケーション）は、他のタイプのアプリケーションカテゴリ（例えばビデオ共有アプリケーション）と比較するとより高い優先順位を与えられ得る。ＡＣＤＣ／ＡＳＡＣアプリケーション又はアプリケーションカテゴリの優先順位付けは、ネットワークオペレータにより割り当てられる優先順位付けレベル（例えば、Ｎ、Ｎ＋１、Ｎ＋２、及びＮ＋３）を用いて示され得る。さらに、リストは、事前設定されたアプリケーション又はアプリケーションカテゴリのホワイトリスト、すなわちＡＣＤＣ／ＡＳＡＣがネットワークのために起動される場合にモバイルネットワークにアクセスすることを許可されるアプリケーション及び／又はアプリケーションカテゴリのホワイトリストを含み得る。上記で説明されたインジケータがＡＣＤＣ／ＡＳＡＣ適用範囲及びアプリケーションカテゴリリストの一部分として示されるが、これらのインジケータのうちのいくらか又は全ては、独立型インジケータとして別々に提供され得る。
【００３６】
移動機がローミングしているとともに、ローミングオーバーライド（roaming  override）が許可される場合のＡＣＤＣ／ＡＳＡＣの適用のために、無関係の領域のＡＣＤＣ／ＡＳＡＣ固有情報及び適用情報を考慮する、移動機がローミングしている場所のＭＣＣを有する第２のリストが生成され得る。その代わりに、無関係の領域のＡＣＤＣ／ＡＳＡＣ固有情報及び適用情報を考慮しない、移動機がローミングしている場所のＭＣＣを有する第２のリストが生成され得る。
【００３７】
一構成において、１つを超えるリストが、ＵＥに対してプロビジョニング又はプリプロビジョニングされ得る。したがって、ネットワークオペレータは、各リストが特定の領域に対応するＸ個のリストをプロビジョニングし得る。リストが適用できる州を識別するか、又はＵＥのホーム州である州を識別するような、追加の情報が含まれ得る。例えば、無線ネットワークは、ＵＥのホーム領域に対応する第１のリスト、及び無関係の領域に対応する第２のリストを提供し得る。
【００３８】
図６は、ＵＥから非アクセス層（ＮＡＳ）メッセージを受信することに応答してＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を伝達するネットワークエレメントを例示する。ＮＡＳシグナリングは、無線ネットワークがおおよそのリアルタイムにおいて特定の無線ネットワーク又は地域条件に関する情報をＵＥに提供することを可能にし得る。ＮＡＳシグナリングは、ＡＣＤＣ／ＡＳＡＣ適用動的情報をＵＥに対して配信するために、３ＧＰＰの標準化されたメカニズムを利用し得る。ネットワークＡＣＤＣ／ＡＳＡＣ適用情報は、局所的なＡＣＤＣ要求事項を満たすために単独で、又は、ＯＭＡ−ＤＭ若しくはＳＩＭ  Ｔｏｏｌｋｉｔにより配信されたＡＣＤＣ情報と併せて、使用され得る。
【００３９】
ネットワークは、ＡＣＤＣ／ＡＳＡＣ状態を有効にし得るとともに、ＵＥは、ＡＣＤＣ／ＡＳＡＣ状態に従ってアプリケーション又はアプリケーションのカテゴリを開始し得るか、又は動作させ得る。ネットワークは、ＭＭＥ、ＡＮＤＳＦ、又は専用のＡＣＤＣ／ＡＳＡＣサーバのようなネットワークエレメントを含み得る。したがって、ＡＣＤＣ／ＡＳＡＣ状態の動作は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００４０】
ＵＥ又は移動局（ＭＳ）は登録更新を実行することができ、例えば、ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに送信し得る。ネットワークは、州インジケータの表示を含んでいる、位置更新受容メッセージ、アタッチ受容メッセージ、ルーティングエリア更新受容メッセージ、トラッキングエリア更新受容メッセージ、又は他のタイプのＮＡＳネットワークからＵＥ（network-to-UE）応答メッセージによって応答し得る。ネットワークは、無線アクセスベアラ（radio  access  bearer：ＲＡＢ）のプロビジョニング及び割り当てにより、ＵＥからのサービス要求を受容し得る。さらに、ネットワークは、図５において以前に説明されたように、ＡＣＤＣ／ＡＳＡＣ情報をＵＥに提供し得る。ＡＣＤＣ／ＡＳＡＣ情報は、リスト又は情報要素（information  element：ＩＥ）に含まれ得るとともに、無線ネットワークに対して局所的な、必要なＡＣＤＣ／ＡＳＡＣ適用情報を含み得る。
【００４１】
ネットワークは、識別なしか、又は移動機が動的なＡＣＤＣ／ＡＳＡＣプロビジョニング／ハンドリングをサポートするということを知る場合のいずれかにおいて、ＡＣＤＣ／ＡＳＡＣ情報（すなわち、ＡＣＤＣ／ＡＳＡＣ適用範囲及びアプリケーションカテゴリリスト）を移動機に提供し得る。もし移動機がＡＣＤＣ／ＡＳＡＣ情報を受け取り、そして動的なＡＣＤＣ／ＡＳＡＣプロビジョニング／ハンドリングをサポートしていないならば、その場合に、移動機は、ＡＣＤＣ／ＡＳＡＣ情報を無視しても良い。
【００４２】
もし移動機がＡＣＤＣ／ＡＳＡＣ情報を受け取り、そして動的なＡＣＤＣ／ＡＳＡＣプロビジョニング／ハンドリングをサポートしているならば、移動機は、その非リアルタイムＡＣＤＣ／ＡＳＡＣ情報をチェックし得るとともに、もし局所的なＡＣＤＣ／ＡＳＡＣ適用範囲情報を考慮に入れることを許可されたならば、移動機は、局所的なＡＣＤＣ／ＡＳＡＣ適用範囲情報を処理することを継続し得る。したがって、移動機は、ホームネットワークオペレータにより事前設定される非リアルタイムＡＣＤＣ／ＡＳＡＣ情報（例えば、移動機が無関係のネットワークと関連付けられたホワイトリストを導入することを許可されるかどうかを示すホームネットワークオペレータからの情報）をチェックし得る。さらに、訪問先ネットワーク又は無関係のネットワークの中をローミングする移動機は、非リアルタイムＡＣＤＣ／ＡＳＡＣ情報の十分な補足物を有していない、局所的なＡＣＤＣ／ＡＳＡＣ適用範囲情報を提供され得る。
【００４３】
ＡＣＤＣ／ＡＳＡＣ情報は、優先順位付けの表示、又は、優先順位付けされ、したがってＡＣＤＣ／ＡＳＡＣが対応する無線ネットワークのために起動される場合に許可されるアプリケーション／アプリケーションカテゴリの表示を含み得る。優先順位付けは、優先順位１又は高い優先順位であるアプリケーション／アプリケーションカテゴリ、優先順位２又は中間の優先順位であるアプリケーション／アプリケーションカテゴリ、そして次に、優先順位３又は低い優先順位であるアプリケーション／アプリケーションカテゴリの順序になり得る。例えば、“Ａ”及び“Ｂ”は高い優先順位を有しているかもしれず、“Ｘ”、“Ｙ”、及び“Ｚ”は中間の優先順位を有しているかもしれず、そして“Ｋ”は低い優先順位を有しているかもしれない。さらに、ＡＣＤＣが無線ネットワークにおいて動作中である場合に、ＡＣＤＣ／ＡＳＡＣ情報は、優先順位付けされたアプリケーション又はアプリケーションカテゴリの許可された数を示し得る。
【００４４】
ＡＣＤＣ／ＡＳＡＣ情報は、各優先順位レベル（例えば、優先順位レベル１、２若しくは３、又は、高い優先順位レベル、中間の優先順位レベル、若しくは低い優先順位レベル）に対するアプリケーション又はアプリケーションカテゴリを特定し得る。アプリケーションカテゴリは、ソーシャルネットワークアプリケーション、オンラインショッピングアプリケーション、ニュースアプリケーション、教育アプリケーション、音楽アプリケーション、ビデオストリーミングアプリケーションなどを含み得る。さらに、アプリケーションのカテゴリは、年齢１３歳から１７歳の女性の間で最もポピュラーであるアプリケーションのカテゴリのような、他の類似点を共有し得る。各アプリケーションカテゴリは、複数の特定のアプリケーションを含み得る。例えば、音楽アプリケーションのアプリケーションカテゴリは、１００を越える特定の音楽アプリケーションを含み得る。これらの特定されたアプリケーションは、ホワイトリスト上に現れるかもしれないし、又は現れないかもしれない。特定されたアプリケーション又はアプリケーションカテゴリの数が制限されない一方、ＡＣＤＣ／ＡＳＡＣ機能の性質は、恐らく比較的小さな数の特定されたアプリケーションに帰着することになる。いくつかの例において、ネットワークは、ネットワーク輻輳のレベルに応じて、全くアプリケーションを示さないか、又は、選択された数のアプリケーションを示し得る。
【００４５】
図６において例示される一例のように、もしＡＣＤＣ／ＡＳＡＣが動作中で、そして移動機がＡｐｐ（アプリケーション）Ｙ、及びＡｐｐ（アプリケーション）Ｋを開始することを望むならば、その場合に、Ａｐｐ  Ｙのみが開始される。同様に、もしより高い層がＡｐｐ  Ｘを誘発するが、しかしＡｐｐ  Ａ及びＡｐｐ  Ｂが同様に開始されるならば、その場合に、Ａｐｐ  Ｘは開始されないであろう。
【００４６】
特定されたアプリケーション及び／又はアプリケーションカテゴリ、並びに、ＡＣＤＣ／ＡＳＡＣが動作中である場合の対応する優先順位レベルに関して、無線ネットワークは、所定のＡＣＤＣ／ＡＳＡＣ情報の有効時間を示し得る。示された有効時間は、その時間のあとではＡＣＤＣ／ＡＳＡＣ情報がもはや有効ではなくなる絶対時間であり得る。有効時間は、開始時間と終了時間、すなわち時間の範囲を示し得る。有効時間は、ＡＣＤＣ／ＡＳＡＣ情報が移動機に提供されてから有効である、秒数、分数、時間数、デシマル時間数（deci-hours）などを示し得る。もし有効時間が与えられないならば、移動機は、次の登録更新、又はサービスに対する次の要求における更新まで、ＡＣＤＣ／ＡＳＡＣは有効であると考えるかもしれない。有効時間が次の登録更新においてまだ経過中である場合、次の登録更新情報は、以前に提供されたＡＣＤＣ／ＡＳＡＣ情報の全てを捨てる（clear  out：一掃する）かもしれない。無線ネットワークが次の登録更新においてＡＣＤＣ／ＡＳＡＣ情報（すなわち、ＡＣＤＣ／ＡＳＡＣ適用範囲及びアプリケーションカテゴリリスト）を更新しないことを選択しない限り、移動機における現在のＡＣＤＣ／ＡＳＡＣ情報又は現在利用可能なＡＣＤＣ／ＡＳＡＣ情報は有効であり続けるかもしれない。
【００４７】
特定されたアプリケーション及び／又はアプリケーションカテゴリ、並びに、ＡＣＤＣ／ＡＳＡＣが動作中である場合の対応する優先順位レベルに関して、無線ネットワークは、アプリケーション又はアプリケーションカテゴリの優先順位付けされたリストが適用される有効な地理的位置を示し得る。有効な地理的位置は、ＬＡＣ、ＲＡＣ、ＴＡＣのような３ＧＰＰで許可された位置識別子、又は同様の３ＧＰＰで定義された地理座標（Geo-coordinates）、又は一般に示された全地球測位システム（ＧＰＳ）座標のうちのいずれかにおいて示され得る。したがって、移動機が有効な地理的位置の外にある場合に、優先順位付けされたリストは適用されないかもしれない。もし有効な地理的位置が与えられないならば、移動機は、次の登録更新、又はサービスに対する次の要求における更新まで、ＡＣＤＣ／ＡＳＡＣは有効であると考えるかもしれない。たとえもし地理的位置が与えられるとともに、その位置が次の登録更新においてまだ有効であるとしても、次の登録更新情報は、以前に提供されたＡＣＤＣ／ＡＳＡＣ情報の全てを捨てる（clear  out：一掃する）かもしれない。公衆陸上移動ネットワーク（Public  Land  Mobile  Network：ＰＬＭＮ）の変更の間に、移動機が同等のＰＬＭＮ（例えば拡張ＰＬＭＮ）又は同等のホームＰＬＭＮ（拡張ホームＰＬＭＮ）に変わる場合に例外があり得るかもしれないが、ＡＣＤＣ／ＡＳＡＣ情報はフラッシュ（flush：消去）され得る。
【００４８】
一構成において、ＡＣＤＣ／ＡＳＡＣ情報の十分な補足物は、個々のネットワークオペレータを用いて実装されないかもしれない。例えば、“ローミングオーバーライト（Roaming  overwrite）”表示は導入されないかもしれず、その代りに、個々のネットワークオペレータは、インバウンドのローミング加入者（inbound  roaming  subscriber）に対してＡＣＤＣ／ＡＳＡＣの適用を許可する又は許可しないために、それらの同業のネットワークオペレータとのローミング協定においてプロビジョンを有し得る。そのような契約上の合意は、訪問先ネットワーク又は無関係のネットワークがインバウンドローマー（inbound  roamer）（すなわち無関係のネットワークにローミングした移動機）に対して、ＡＣＤＣ／ＡＳＡＣ情報の適用を許可されるか、又は許可されないかに関して信号を送る必要があるかもしれないので、シグナリング解決法（signaling  solution）をそれでもなお必要とし得る。
【００４９】
図７は、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が起動されるとともに、ＵＥがホーム地理的領域の外側をローミングしている場合に、事前設定されたアプリケーションカテゴリのリスト上のアプリケーションのカテゴリがユーザ装置（ＵＥ）において動作することを許可されないことを決定するネットワークエレメントを例示する。言い換えれば、ネットワークエレメントは、無関係の領域（すなわち、ＵＥと関連付けられたホーム領域の外側）にあり得るとともに、ＵＥが無関係の領域内をローミングしている場合に、ＵＥがＡＣＤＣ／ＡＳＡＣアプリケーションを動作させることを許可しない。ＡＣＤＣ／ＡＳＡＣ状態の有効化は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００５０】
移動機が登録更新を実行する場合に、又は移動機がリソースを要求する場合に、そのシグナリングに応答する無線ネットワークは、拒否理由を示し得る。拒否理由は、ＡＣＤＣ／ＡＳＡＣが無線ネットワークにおいて起動される場合に、ＡＣＤＣ／ＡＳＡＣアプリケーション又はアプリケーションカテゴリが許可されないことを移動機に示し得る。移動機が拒否理由を受け取る場合に、ＡＣＤＣ／ＡＳＡＣが無線ネットワークにおいて動作中であることを検知している移動機は、ＡＣＤＣ／ＡＳＡＣアプリケーション又はアプリケーションカテゴリのうちのいずれも開始しないかもしれない。たとえもしＵＥがＡＣＤＣホワイトリストを有しているとしても、その制限は行われ得る。さらに、その負担（imposition：要求）は、次の登録更新又はサービス更新まで適用され得る。
【００５１】
図７において示されるように、ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに伝達し得る。ネットワークは、位置更新拒否メッセージ、アタッチ拒否メッセージ、ルーティングエリア更新拒否メッセージ、トラッキングエリア更新拒否メッセージ、又はサービス拒否メッセージによって応答し得る。その代りに、ネットワークは、拒否理由を有するサービス受容メッセージによって応答しても良く、ここで、拒否理由は、ＡＣＤＣ／ＡＳＡＣが無線ネットワークにおいて起動される場合に、ＡＣＤＣアプリケーションが許可されないことを示す。
【００５２】
登録更新は、位置更新受容メッセージ、アタッチ受容メッセージ、ルーティングエリア更新受容メッセージ、トラッキングエリア更新受容メッセージ、又はサービス受容メッセージによって受容され得るとともに、リソースが提供され得るが、しかし、ＡＣＤＣ／ＡＳＡＣが動作中である場合にＡＣＤＣ／ＡＳＡＣアプリケーションが許可されないことを示す拒否理由がこれらのメッセージによって同様に提供され得る。
【００５３】
図８は、移動機がホーム地理的領域の外側をローミングしている場合に、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が起動されるかどうかに関係なく、事前設定されたアプリケーションカテゴリのリスト上のアプリケーションのカテゴリがユーザ装置（ＵＥ）において動作することを許可されないことを決定するネットワークエレメントを例示する。言い換えれば、ネットワークエレメントは、無関係の領域内にあるかもしれず、ＵＥが無関係の領域内をローミングしている場合にＵＥがＡＣＤＣ／ＡＳＡＣアプリケーションを動作させることを許可しない。ＡＣＤＣ／ＡＳＡＣ状態の有効化は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００５４】
移動機が登録更新を実行する場合に、又は移動機がリソースを要求する場合に、ネットワークは、ＡＣＤＣ／ＡＳＡＣアプリケーションがローミングしているＵＥには許可されないということを移動機（すなわちインバウンドローマー）に示す拒否理由によって応答し得る。移動機が拒否理由を受け取る場合に、ＡＣＤＣ／ＡＳＡＣが無線ネットワークにおいて動作中であるかどうかに関係なく、移動機は、ＡＣＤＣ／ＡＳＡＣアプリケーション又はアプリケーションカテゴリのうちのいずれも開始しないかもしれない。ＵＥがＡＣＤＣホワイトリストを有している場合にその制限は適用されるかもしれず、そして、次の登録更新又はサービス更新まで適用されることができる。
【００５５】
図８において示されるように、ＵＥは、位置更新要求メッセージ、アタッチ要求メッセージ、ルーティングエリア更新要求メッセージ、トラッキングエリア更新要求メッセージ、又は他のタイプのＮＡＳメッセージをネットワークに伝達し得る。ネットワークは、位置更新拒否メッセージ、アタッチ拒否メッセージ、ルーティングエリア更新拒否メッセージ、トラッキングエリア更新拒否メッセージ、又はサービス拒否メッセージによって応答し得る。その代りに、ネットワークは、拒否理由を有するサービス受容メッセージによって応答しても良く、ここで、拒否理由は、ＵＥがローミングしている場合に、ＡＣＤＣアプリケーションが許可されないことを示す。
【００５６】
ネットワークは、登録更新を受容し得るとともに、ＡＣＤＣ／ＡＳＡＣが動作中である場合に、ＡＣＤＣ／ＡＳＡＣアプリケーション又はアプリケーションカテゴリが許可されないことを示し得る。登録更新は、位置更新受容メッセージ、アタッチ受容メッセージ、ルーティングエリア更新受容メッセージ、トラッキングエリア更新受容メッセージ、又はサービス受容メッセージによって受容され得るとともに、リソースが提供され得るが、しかし、ＵＥがローミングしている場合にＡＣＤＣ／ＡＳＡＣアプリケーションが許可されないことを示す拒否理由がこれらのメッセージによって同様に提供され得る。
【００５７】
図９は、ユーザ装置（ＵＥ）がホーム地理的領域の外側をローミングしているとともに、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が起動される場合に、事前設定されたアプリケーションカテゴリのリスト上のアプリケーションカテゴリがＵＥにおいて動作することを許可されるかどうかを示すＡＣＤＣ／ＡＳＡＣ情報をＵＥに伝達するネットワークエレメントを例示する図である。ＡＣＤＣ／ＡＳＡＣ状態の有効化は、ＮＡＳプロトコルを通してＭＭＥから、ＯＭＡ−ＤＭプロトコルを通してＡＮＤＳＦから、又はハイパーテキスト転送プロトコル（ＨＴＴＰ）プロトコルを通して専用のＡＣＤＣ／ＡＳＡＣサーバから、開始され得る。
【００５８】
ネットワークは、移動機（すなわちインバウンドローマー）がＡＣＤＣ／ＡＳＡＣアプリケーション又はＡＣＤＣ／ＡＳＡＣアプリケーションのカテゴリを動作させることを許可し得る。移動機が登録更新を実行する場合に、又は移動機がリソースを要求する場合に、ネットワークは、ＵＥがネットワークにおけるＡＣＤＣ／ＡＳＡＣの起動を前提としてローミングしている場合にＡＣＤＣ／ＡＳＡＣアプリケーションが許可される、ということを示すことによって応答し得る。移動機がローミングしている場合にＡＣＤＣ／ＡＳＡＣアプリケーションが許可されるという表示を移動機が受け取る場合に、移動機は、訪問先公衆陸上移動ネットワーク（visited  public  land  mobile  network：ＶＰＬＭＮ）においてＡＣＤＣ／ＡＳＡＣが動作中である場合に、ホーム公衆陸上移動ネットワーク（home  public  land  mobile  network：ＨＰＬＭＮ）のプロビジョニングされたホワイトリストに示されたＡＣＤＣ／ＡＳＡＣ  アプリケーションが実行され得る、ということを知るかもしれない。
【００５９】
図９において示されるように、ＵＥは、位置更新要求メッセージ、アタッチ要求メッセージ、ルーティングエリア更新要求メッセージ、トラッキングエリア更新要求メッセージ、又はあらゆる他のタイプ若しくはレベルのシグナリングメッセージをＵＥとネットワークとの間で伝達し得る。ネットワークは、ＵＥに対するＡＣＤＣ制限を決定しないかもしれない。ネットワークは、州インジケータの表示を含んでいる、位置更新受容メッセージ、アタッチ受容メッセージ、ルーティングエリア更新受容メッセージ、トラッキングエリア更新受容メッセージ、又はサービス受容メッセージ（又は他のタイプ若しくはレベルのシグナリングメッセージ）によって応答し得るとともに、ここで、これらのメッセージは、ＵＥがローミングしている場合にＡＣＤＣ／ＡＳＡＣアプリケーションが許可されるということを示す。
【００６０】
一構成において、ＵＥにおけるＡＣＤＣ／ＡＳＡＣホワイトリストは、ページングメッセージ及びシステム情報ブロック（System  Information  Block：ＳＩＢ）を用いて更新され得る。ＵＥは、ユニバーサル地上無線アクセスネットワーク（Universal  Terrestrial  Radio  Access  Network：ＵＴＲＡＮ）及び進化型ユニバーサル地上無線アクセスネットワーク（Evolved  Universal  Terrestrial  Radio  Access  Network：Ｅ−ＵＴＲＡＮ）システムにおけるページングメッセージ及びＳＩＢを用いて更新され得る。進化型ＮｏｄｅＢ（ｅＮＢ）は、ＵＥに対するページングメッセージにおいて、ＡＣＤＣ／ＡＳＡＣホワイトリスト通知を伝達し得る。ＡＣＤＣ／ＡＳＡＣホワイトリスト通知は、ＡＣＤＣ／ＡＳＡＣ  ＳＩＢがｅＮＢにより一斉送信されているということをＵＥに通知し得る。
【００６１】
ＡＣＤＣ／ＡＳＡＣホワイトリスト通知は、ＡＣＤＣ／ＡＳＡＣグループＩＤ（すなわち、ＡＣＤＣ／ＡＳＡＣホワイトリストを適用するＵＥのグループ）を含み得る。もしＡＣＤＣ／ＡＳＡＣグループＩＤが含まれているならば、対応するＡＣＤＣ／ＡＳＡＣグループに属する移動機のみが、ＡＣＤＣ／ＡＳＡＣ  ＳＩＢを獲得する必要があり得る。もしＡＣＤＣ／ＡＳＡＣグループＩＤが含まれていないならば、ＡＣＤＣ／ＡＳＡＣのために設定された全ての装置がＡＣＤＣ／ＡＳＡＣ  ＳＩＢを獲得し得る。ＬＴＥシステムにおいて、ＡＣＤＣ／ＡＳＡＣ  ＳＩＢのスケジューリング情報は、システム情報ブロックタイプ１（ＳＩＢ１）において提供され得る。ＡＣＤＣ／ＡＳＡＣのために設定された移動機は、最初にＳＩＢ１情報を獲得し、そしてそのあとに、ＳＩＢ１に含まれるＡＣＤＣ／ＡＳＡＣ  ＳＩＢスケジューリング情報に基づいて、ＡＣＤＣ／ＡＳＡＣ  ＳＩＢを獲得し得る。
【００６２】
したがって、ＳＩＢは、ＡＣＤＣ／ＡＳＡＣが無線ネットワークにおいて動作中であるかどうかの表示を含み得る。追加の情報が、ＳＩＢによって移動機の選択されたグループ又は収集物に送信され得る。追加の情報は、移動機器又は移動加入者又は移動ユーザの、国際移動体加入者識別子（ＩＭＳＩ）、一時的移動体加入者識別子（ＴＭＳＩ）、グローバル一意一時識別子（ＧＵＴＩ）、又は他の３ＧＰＰ固有の識別子の特定の範囲の形式における表示を含み得る。
【００６３】
追加の情報は、移動機の特定のカテゴリの表示を含み得る。移動機の特定のカテゴリは、移動機のアクセスクラスのような、新しい識別子（identity）又は以前に定義された識別子のあらゆる形式であり得る。ネットワーク、放送サブシステム、及び移動機は、特定のカテゴリの同じ合意（understanding）を全て共有し得る。例えば、無線ネットワークは、電力クラスを分類として使用しないかもしれず、一方、移動機は、アクセスクラスを分類として使用する。言い換えれば、無線通信インタフェースの両側は、同じ分類を使用し得る。複数の異なる（新しい又は既存の）カテゴリが導入され得るが、概して、１つのカテゴリのみがその時々において使用される。したがって、ＡＣＤＣ／ＡＳＡＣの起動により影響を受ける移動機のカテゴリを一斉送信することは別として、無線ネットワークは、どのカテゴリが選択的な基準として使用されるべきであるかを示し得る。
【００６４】
一例において、ＳＩＢは、もしＡＣＤＣ／ＡＳＡＣが無線ネットワークにおいて動作中であるならば、ＡＣＤＣ／ＡＳＡＣが例外なしでインバウンドローマーに適用できるかどうかを示し得る。言い換えれば、インバウンドローマーは、無関係の領域の中をローミングしているとともに、ＵＥのホーム領域の外部に存在するＵＥを含み得る。
【００６５】
一例において、ＳＩＢは、もしＡＣＤＣ／ＡＳＡＣが無線ネットワークにおいて動作中であるならば、ＡＣＤＣ／ＡＳＡＣが一部例外ありでインバウンドローマーに適用できるかどうかを示し得る。これらの例外は、そのような例外を有している、公衆陸上移動ネットワーク識別子（ＰＬＭＮ  ＩＤ）、ＰＬＭＮ  ＩＤの範囲、モバイルカントリーコード（ＭＣＣ）、又はＭＣＣの範囲に基づいて確認され得る。言い換えれば、確認されないＰＬＭＮ  ＩＤ及びＭＣＣは除外されない。その代りに、これらの例外は、例外を有していない、ＰＬＭＮ  ＩＤ、ＰＬＭＮ  ＩＤの範囲、ＭＣＣ、ＭＣＣの範囲に基づいて確認され得る。言い換えれば、確認されないＰＬＭＮ  ＩＤ及びＭＣＣは除外される。さらに、特定のカテゴリの識別は、無線ネットワークにおけるＡＣＤＣの適用に従う、又は従わない移動機を選択する場合に、さらに細かい精度で提供され得る。
【００６６】
上記で説明された情報は、ＳＩＢ又は他の選択された３ＧＰＰの一斉送信技術によって移動機に提供され得る。移動機は、移動機が一斉送信されている特定のカテゴリに属するかどうかを知るために、情報を一斉送信することを使用し得る。たとえもしカテゴリが３ＧＰＰによって以前に定義されていたとしても、移動機は、移動機の識別子（identity）がＳＩＢによって一斉送信されたカテゴリに適合するかどうかを判定し得る。
【００６７】
ＵＥは、新しい分類が指定されたことを示す情報を提供され得る。一例において、移動機のＳＩＭ／ＵＳＩＭは、そのカテゴリの識別子／情報によってプリプロビジョニングされ得る。移動機は、同様に、ＳＭＳプロビジョニングによって、又はＯＭＡ  ＤＭを通して、そのカテゴリの識別子／情報を受け取るかもしれない。もしＵＥがそのカテゴリを知っているならば、そしてもしそのカテゴリがＡＣＤＣ／ＡＳＡＣについてのＳＩＢによって一斉送信されるカテゴリに適合するならば、その場合に、ＳＩＢによって示されたＡＣＤＣ／ＡＳＡＣのために適用できるものは、移動機に対して適用され得るとともに、移動機はそれに応じて動作し得る。移動機に関するそのようなＡＣＤＣ／ＡＳＡＣの適用情報は、ホームオペレータの方針に基づいていて良いとともに、ＵＥをローミングされる（すなわち訪問先の）ＰＬＭＮのＡＣＤＣ／ＡＳＡＣの許可／起動に従わせるホームオペレータの設定可能な情報であり得る。そのような情報は、移動構成情報（mobile  configuration  information）（すなわちＳＩＭ／ＵＳＩＭ上）の一部分として構成され得るとともに、訪問先ネットワークＡＣＤＣ／ＡＳＡＣ起動情報を利用するようにローミングしている移動機をＳＩＢ又は一斉送信メッセージ／情報によって案内するための表示を含み得る。さらに、移動機は、ＵＳＩＭ−ＯＴＡ又はＯＭＡ−ＤＭのようなＯＴＡプロビジョニング手法を使用して、移動機におけるＡＣＤＣの設定に基づいて、ＡＣＤＣに従い得る。
【００６８】
別の実例は、図１０のフローチャートにおいて示されるように、移動機上のアプリケーションのカテゴリをプロビジョニングするように動作可能な無線ネットワークエレメントのコンピュータ回路の機能１０００を提供する。機能は、方法として実施され得るか、又は、機能は、機械上の命令として実行され得るとともに、ここで、命令は、少なくとも１つのコンピュータ読み取り可能な媒体、又は少なくとも１つの非一時的な機械読み取り可能記憶媒体に含まれる。ブロック１０１０のように、コンピュータ回路は、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）が無線ネットワークにおいて起動される場合に無線ネットワークにアクセスすることを許可されるアプリケーションのカテゴリを含む事前設定されたアプリケーションカテゴリのホワイトリストを含んでいるＡＣＤＣ／ＡＳＡＣ情報を、移動機に伝達するように構成されることができる。ブロック１０２０のように、コンピュータ回路は、無線ネットワークの無線ネットワークチャネル状態が容量しきい値を越えることを検知するように構成されることができる。ブロック１０３０のように、コンピュータ回路は、容量しきい値が越えられると同時に、選択された優先順位付けレベルでＡＣＤＣ／ＡＳＡＣを起動し、事前設定されたホワイトリストに含まれるアプリケーションのカテゴリのみが移動機において動作することをＡＣＤＣ／ＡＳＡＣが可能にするように更に構成されることができる。
【００６９】
一構成において、ＡＣＤＣ／ＡＳＡＣ情報は、移動機と関連付けられたホーム地理的領域により事前設定されたアプリケーションカテゴリのホワイトリストがオーバーライドされることが可能であるかどうかを示し得る。さらに、ＡＣＤＣ／ＡＳＡＣ情報は、移動機と関連付けられたモバイルカントリーコード（ＭＣＣ）の外側に存在する地理的領域に対するＡＣＤＣ／ＡＳＡＣ情報を、移動機が地理的領域内をローミングしている場合に移動機が受信することができるかどうかを示し得る。
【００７０】
一例において、ＡＣＤＣ／ＡＳＡＣ情報が、ＡＣＤＣ／ＡＳＡＣが無線ネットワークにおいて動作中である場合に事前設定されたアプリケーションカテゴリのホワイトリストにおけるアプリケーションが定義された期間の間有効であるということを示し得る。さらに、ＡＣＤＣ／ＡＳＡＣ情報は、ＡＣＤＣ／ＡＳＡＣが無線ネットワークにおいて動作中である場合に事前設定されたアプリケーションカテゴリのホワイトリストが移動機に適用される１つ又は複数の地理的位置を示し得る。一例において、無線ネットワークエレメントは、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）を含み得るとともに、ＡＮＤＳＦは、オープンモバイルアライアンスデバイス管理（ＯＭＡ−ＤＭ）プロトコルを使用してＡＣＤＣ／ＡＳＡＣ情報を移動機に伝達する。さらに、無線ネットワークエレメントは、ＡＣＤＣ／ＡＳＡＣサーバを含み得ると共に、ＡＣＤＣ／ＡＳＡＣサーバは、ハイパーテキスト転送プロトコル（ＨＴＴＰ）プロトコルを通してＡＣＤＣ／ＡＳＡＣ情報を移動機に伝達する。
【００７１】
一構成において、コンピュータ回路は、位置更新要求メッセージ、アタッチ要求メッセージ、ルーティングエリア更新要求メッセージ、トラッキングエリア更新要求メッセージ、又はサービス要求メッセージのうちの少なくとも１つを移動機から受信することに応答して、ＡＣＤＣ／ＡＳＡＣ情報を移動機に伝達するように更に構成されることができる。さらに、コンピュータ回路は、移動機と関連付けられた地理的領域を示す州インジケータを移動機に伝達するように更に構成されることができる。
【００７２】
一例において、ＡＣＤＣ／ＡＳＡＣ情報は、移動機の、汎用加入者識別モジュール（ＵＳＩＭ）、加入者識別モジュール（ＳＩＭ）、又は汎用ＩＣカード（ＵＩＣＣ）のうちの１つのための基礎ファイル（ＥＦ）に含まれ得る。ＥＦは、ＳＩＭツールキットを使用して移動機に伝達され得る。さらに、ＡＣＤＣ／ＡＳＡＣ情報は、オープンモバイルアライアンス管理オブジェクト（ＯＭＡ−ＭＯ）として指定され得るとともに、オープンモバイルアライアンスデバイス管理（ＯＭＡ−ＤＭ）プロトコルを使用して移動機に伝達され得る。
【００７３】
一構成において、コンピュータ回路は、ＡＣＤＣ／ＡＳＡＣが無線ネットワークにおいて起動されるとともに、移動機がホーム地理的領域の外側をローミングしている場合に、ＡＣＤＣ／ＡＳＡＣ情報において、事前設定されたアプリケーションカテゴリのホワイトリストにおけるアプリケーションのうちの何れもが移動機において動作することを許可されないということを示す拒否理由を移動機に伝達するように更に構成されることができる。さらに、コンピュータ回路は、移動機がホーム地理的領域の外側をローミングしている場合に、ＡＣＤＣ／ＡＳＡＣが無線ネットワークにおいて起動されるかどうかに関係なく、ＡＣＤＣ／ＡＳＡＣ情報において、事前設定されたアプリケーションカテゴリのホワイトリストにおけるアプリケーションのうちの何れもが移動機において動作することを許可されないということを示す拒否理由を移動機に伝達するように更に構成されることができる。
【００７４】
一例において、コンピュータ回路は、移動機がホーム地理的領域の外側をローミングしているとともに、ＡＣＤＣ／ＡＳＡＣが無線ネットワークにおいて起動される場合に、事前設定されたアプリケーションカテゴリのホワイトリストが移動機において動作することを許可されるということを示すＡＣＤＣ／ＡＳＡＣ情報を移動機に伝達するように更に構成されることができる。さらに、ＡＣＤＣ／ＡＳＡＣ情報は、複数の地理的領域に対応する複数の事前設定されたアプリケーションカテゴリのホワイトリストを含み、移動機が地理的領域を通ってローミングする場合に、無線ネットワークエレメントは、事前設定されたアプリケーションカテゴリのホワイトリストのうちの少なくとも１つを起動する。さらに、ＡＣＤＣ／ＡＳＡＣ情報内の事前設定されたアプリケーションカテゴリのホワイトリストは、移動機と関連付けられたホーム地理的領域に対応し得るとともに、移動機がホーム地理的領域の外側をローミングする場合に、無線ネットワークエレメントは、追加の事前設定されたアプリケーションカテゴリのホワイトリストを伝達する。
【００７５】
別の実例は、図１１のフローチャートにおいて示されるように、事前設定された優先順位付けされたアプリケーションカテゴリのホワイトリストに従ってアプリケーションを動作させるように動作可能なユーザ装置（ＵＥ）のコンピュータ回路の機能１１００を提供する。機能は、方法として実施され得るか、又は、機能は、機械上の命令として実行され得るとともに、ここで、命令は、少なくとも１つのコンピュータ読み取り可能な媒体、又は少なくとも１つの非一時的な機械読み取り可能記憶媒体に含まれる。ブロック１１１０のように、コンピュータ回路は、登録更新メッセージを無線ネットワークエレメントに伝達するように構成されることができる。ブロック１１２０のように、コンピュータ回路は、登録更新メッセージを伝達することに応答して、事前設定された優先順位付けされたアプリケーションカテゴリのホワイトリストを含んでいるＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を無線ネットワークエレメントから受信するように構成されることができる。ブロック１１３０のように、コンピュータ回路は、ＡＣＤＣ／ＡＳＡＣが無線ネットワークにおいて起動される場合に事前設定された優先順位付けされたアプリケーションカテゴリのホワイトリストに含まれるアプリケーションのみを動作させ、ＡＣＤＣ／ＡＳＡＣが容量しきい値を越える無線ネットワークの無線ネットワークチャネル状態に応答して起動されるように更に構成されることができる。
【００７６】
一構成において、コンピュータ回路は、無線ネットワークが容量しきい値を越えない場合に、無線ネットワークエレメントから更新された事前設定された優先順位付けされたアプリケーションカテゴリのホワイトリストを受信するように更に構成されることができる。さらに、コンピュータ回路は、ＡＣＤＣ／ＡＳＡＣシステム情報ブロック（ＳＩＢ）がｅＮＢにおいて一斉送信されていることをＵＥに通知するために、進化型ＮｏｄｅＢ（ｅＮＢ）からのページングメッセージにおいてＡＣＤＣ／ＡＳＡＣホワイトリスト通知を受信するように更に構成されることができる。コンピュータ回路は、無線ネットワークエレメントからのＳＩＢタイプ１（ＳＩＢ１）を受信したあとで、ｅＮＢからのＡＣＤＣ／ＡＳＡＣ  ＳＩＢを受信するように更に構成されることができ、ＵＥは、ＳＩＢ１に含まれるＡＣＤＣ／ＡＳＡＣ  ＳＩＢスケジューリング情報に従ってＡＣＤＣ／ＡＳＡＣ  ＳＩＢを受信するとともに、ＡＣＤＣ／ＡＳＡＣ  ＳＩＢは、更新されたホワイトリスト情報を含む。
【００７７】
一例において、ＡＣＤＣ／ＡＳＡＣ  ＳＩＢは、ＡＣＤＣ／ＡＳＡＣが無線ネットワークにおいて動作中であるかどうかを示し、もしＡＣＤＣ／ＡＳＡＣが動作中であるならば、ＡＣＤＣ／ＡＳＡＣが一部例外ありでインバウンドローマーに適用できるかどうか、又はＡＣＤＣ／ＡＳＡＣが例外なしでインバウンドローマーに適用できるかどうかを示す。さらに、ＡＣＤＣ／ＡＳＡＣ  ＳＩＢは、選択されたグループの移動機に送信される追加の情報を含み、追加の情報は、移動機の特定のカテゴリを示し、追加の情報は、国際移動体加入者識別子（ＩＭＳＩ）、一時的移動体加入者識別子（ＴＭＳＩ）、及びグローバル一意一時識別子（ＧＵＴＩ）の特定の範囲を示す。一例において、ＵＥは、アンテナ、タッチセンシティブ表示スクリーン、スピーカ、マイクロホン、グラフィックプロセッサ、アプリケーションプロセッサ、内部メモリ、又は不揮発性メモリポートを含む。
【００７８】
別の実例は、図１２のフローチャートにおいて示されるように、ユーザ装置（ＵＥ）上のアプリケーションのカテゴリをプロビジョニングするための方法１２００を提供する。方法は、機械上の命令として実行され得るとともに、ここで、命令は、少なくとも１つのコンピュータ読み取り可能な媒体、又は少なくとも１つの非一時的な機械読み取り可能記憶媒体に含まれる。ブロック１２１０のように、方法は、無線ネットワークエレメントにおいて非アクセス層（non-access  stratum：ＮＡＳ）シグナリングを通して登録更新メッセージをＵＥから受信する動作を含む。ブロック１２２０のように、方法は、登録更新メッセージを受信することに応答して、ＡＣＤＣ（Ａｐｐｌｉｃａｔｉｏｎ  Ｓｐｅｃｉｆｉｃ  Ｃｏｎｇｅｓｔｉｏｎ  Ｃｏｎｔｒｏｌ  ｆｏｒ  Ｄａｔａ  Ｃｏｍｍｕｎｉｃａｔｉｏｎｓ）／ＡＳＡＣ（Ａｐｐｌｉｃａｔｉｏｎ  ａｎｄ  Ｓｅｒｖｉｃｅ  Ａｃｃｅｓｓ  Ｃｏｎｔｒｏｌ）情報を無線ネットワークエレメントからＵＥに伝達することを含むことができる。ブロック１２３０のように、方法は、無線ネットワークの無線ネットワークチャネル状態が容量しきい値を越えると同時に、無線ネットワークエレメントにおいて、選択された優先順位付けレベルでＡＣＤＣ／ＡＳＡＣを起動し、ＡＣＤＣ／ＡＳＡＣ情報に含まれるアプリケーションのカテゴリのみがＵＥにおいて動作することをＡＣＤＣ／ＡＳＡＣが可能にすることを更に含むことができる。
【００７９】
一構成において、ＡＣＤＣ／ＡＳＡＣ情報は、ＡＣＤＣ／ＡＳＡＣが無線ネットワークにおいて起動される場合に無線ネットワークにアクセスすることを許可される事前設定された優先順位付けされたアプリケーションカテゴリのホワイトリストを含み得る。一例において、ＡＣＤＣ／ＡＳＡＣ情報は、ＡＣＤＣ／ＡＳＡＣが無線ネットワークにおいて動作中である場合に、事前設定されたホワイトリストにおける優先順位付けされたアプリケーションが有効にされる定義された期間、又はＡＣＤＣ／ＡＳＡＣが無線ネットワークにおいて動作中である場合に、事前設定された優先順位付けされたアプリケーションカテゴリのホワイトリストがＵＥに適用される地理的位置を示し得る。さらに、ＡＣＤＣ／ＡＳＡＣ情報は、移動機と関連付けられたホーム地理的領域により事前設定された優先順位付けされたアプリケーションカテゴリのホワイトリストがオーバーライドされることが可能であるかどうか、又は移動機と関連付けられたモバイルカントリーコード（ＭＣＣ）の外側に存在する地理的領域に対するＡＣＤＣ／ＡＳＡＣ情報を、移動機が地理的領域内をローミングしている場合に移動機が受信することができるかどうかを示し得る。
【００８０】
図１３は、ユーザ装置（ＵＥ）、移動局（mobile  station：ＭＳ）、移動無線装置、移動通信装置、タブレット、ハンドセット、又は他のタイプの無線装置のような無線装置の実例の説明図を提供する。無線装置は、ノード、マクロノード、低電力ノード（low  power  node：ＬＰＮ）と、又は、例えば基地局（base  station：ＢＳ）、進化型ＮｏｄｅＢ（ｅＮＢ）、ベースバンドユニット（baseband  unit：ＢＢＵ）、リモート無線ヘッド（remote  radio  head：ＲＲＨ）、リモート無線装置（remote  radio  equipment：ＲＲＥ）、中継局（relay  station：ＲＳ）、無線装置（radio  equipment：ＲＥ）、若しくは他のタイプの無線広域ネットワーク（wireless  wide  area  network：ＷＷＡＮ）アクセスポイントのような送信局と通信するように構成される１つ又は複数のアンテナを含むことができる。無線装置は、３ＧＰＰ  ＬＴＥ、ＷｉＭＡＸ（ワイマックス）、高速パケットアクセス（ＨＳＰＡ）、ブルートゥース（登録商標）、及びＷｉＦｉ（ワイファイ）を含む少なくとも１つの無線通信標準を用いて通信するように構成され得る。無線装置は、各無線通信標準のための別個のアンテナ、又は複数の無線通信標準のための共有されたアンテナを用いて通信することができる。無線装置は、無線ローカルエリアネットワーク（wireless  local  area  network：ＷＬＡＮ）、無線パーソナルエリアネットワーク（wireless  personal  area  network：ＷＰＡＮ）、及び／又はＷＷＡＮにおいて通信することができる。
【００８１】
図１３は、同様に、無線装置からの音声入力及び音声出力のために使用されることができるマイクロホン及び１つ又は複数のスピーカの実例を提供する。表示画面は、液晶表示装置（liquid  crystal  display：ＬＣＤ）スクリーン、又は、有機発光ダイオード（organic  light  emitting  diode：ＯＬＥＤ）ディスプレイのような他のタイプの表示画面であり得る。表示画面は、タッチスクリーンとして形成され得る。タッチスクリーンは、容量性、抵抗性、又は別のタイプのタッチスクリーン技術を使用し得る。アプリケーションプロセッサ及びグラフィックプロセッサは、処理機能及び表示機能を提供するために、内部メモリと連結され得る。不揮発性メモリポートは、同様に、データ入出力オプションをユーザに提供するために使用されることができる。不揮発性メモリポートは、同様に、無線装置のメモリ性能を拡張するために使用されることができる。キーボードは、追加のユーザ入力を提供するために、無線装置と一体化され得るか、又は無線装置に無線で接続され得る。仮想キーボードが、同様に、タッチスクリーンを用いて提供され得る。
【００８２】
様々な技術、又は特定の態様若しくはその一部分は、例えばフロッピー（登録商標）ディスク、ＣＤ−ＲＯＭ、ハードドライブ、非一時的なコンピュータ読み取り可能記憶媒体、又はあらゆる他の機械読み取り可能記憶媒体のような有形媒体において具体化されるプログラムコード（すなわち命令）の形式を取り得るとともに、コンピュータのような機械にプログラムコードがロードされて実行される場合に、その機械は様々な技術を実行するための機器になる。回路は、ハードウェア、ファームウェア、プログラムコード、実行可能コード、コンピュータ命令、及び／又はソフトウェアを含むことができる。非一時的なコンピュータ読み取り可能記憶媒体は、信号を含まないコンピュータ読み取り可能記憶媒体であり得る。プログラム可能なコンピュータ上のプログラムコードの実行の場合は、計算装置は、プロセッサ、プロセッサにより読み取り可能な記憶媒体（揮発性及び不揮発性記憶装置、並びに／又は記憶素子を含む）、少なくとも１つの入力装置、及び少なくとも１つの出力装置を含み得る。揮発性及び不揮発性記憶装置、並びに／又は記憶素子は、ＲＡＭ、ＥＰＲＯＭ、フラッシュドライブ、光学式ドライブ、磁気ハードドライブ、ソリッドステートドライブ、又は電子データを格納するための他の媒体であり得る。ノード及び無線装置は、同様に、トランシーバモジュール、カウンタモジュール、処理モジュール、及び／又はクロックモジュール若しくはタイマモジュールを含み得る。ここで説明された様々な技術を実施し得るか、又は利用し得る１つ若しくは複数のプログラムは、アプリケーションプログラミングインタフェース（application  programming  interface：ＡＰＩ）、再利用可能なコントロール（reusable  control）などを使用し得る。そのようなプログラムは、コンピュータシステムと通信するために、高水準の手続き的又はオブジェクト指向のプログラミング言語において実装され得る。しかしながら、（複数の）プログラムは、必要に応じて、アセンブリ又は機械語で実装され得る。いずれにせよ、言語は、コンパイルされた言語又はインタープリタ型言語であり得るとともに、ハードウェアの実装と組み合わせられ得る。
【００８３】
この明細書で説明された複数の機能単位が、それらの実装の独立性をさらに特に強調するためにモジュールとして分類された、ということが理解されるべきである。例えば、モジュールは、カスタムＶＬＳＩ回路又はゲートアレイ、ロジックチップのような既製の半導体、トランジスタ、又は他の個別部品を含むハードウェア回路として実施され得る。モジュールは、同様に、フィールドプログラマブルゲートアレイ、プログラマブルアレイロジック、プログラマブルロジックデバイスなどのようなプログラム可能なハードウェア装置に実装され得る。
【００８４】
モジュールは、同様に、様々なタイプのプロセッサによる実行のためのソフトウェアに実装され得る。例えば、実行可能コードの識別されたモジュールは、例えばオブジェクト、手順、又は機能として体系化されているかもしれないコンピュータ命令の１つ又は複数の物理的又は論理的ブロックを含み得る。それでもなお、識別されたモジュールの実行ファイルは、物理的に一緒に配置される必要はないが、しかし、論理的に一緒に結合される場合に、モジュールを含むとともに、モジュールのために定められた目的を達成する、異なる場所に格納される本質的に異なる命令を含み得る。
【００８５】
実際には、実行可能コードのモジュールは、１つの命令又は多くの命令であり得るとともに、異なるプログラムの間で、そしていくらかのメモリ装置を横断して、いくらかの異なるコードセグメントにさらに分配され得る。同様に、操作上のデータは、モジュールの中で、識別されてここで例示され得るとともに、あらゆる適当な形式で具体化され、あらゆる適当なタイプのデータ構造の中で体系化され得る。操作上のデータは、１つのデータセットとして集められ得るか、又は異なる記憶装置上を含む異なる場所に分散され得るか、又は少なくとも部分的にシステム又はネットワーク上の単なる電気信号として存在し得る。モジュールは、所望の機能を果たすように動作可能なエージェントを含んで、受動的であるか、又は能動的であり得る。
【００８６】
この明細書の至るところにおける“実例”に対する参照は、実例に関連して説明された特別な特徴、構造、又は特性が、本発明の少なくとも１つの実施例に含まれることを意味する。したがって、この明細書の至るところの様々な場所における“実例において”という言い回しの状況は、全てが必ずしも同じ実施例を参照するとは限らない。
【００８７】
ここで使用されるように、複数の項目、構造部材、構成的な要素、及び／又は材料は、便宜上、共通のリストにおいて提示され得る。しかしながら、リストの各メンバーが別個かつ唯一のメンバーであるとして個々に特定されるように、これらのリストは解釈されるべきである。したがって、そのようなリストの個別のメンバーは、反対の表示を備えていない一般のグループにおけるそれらの提示に基づいて、単独で同じリストの他のメンバーの事実上の等価物と解釈されるべきでない。さらに、本発明の各種の実施例及び実例は、そのいろいろな構成要素に対する代替物とともに、ここで言及され得る。そのような実施例、実例、及び代替物は、相互の事実上の等価物と解釈されるべきではないが、しかし、それらは、本発明の別個の、そして自主的な説明と考えられるべきである、ということが理解されるべきである。
【００８８】
さらに、説明された特徴、構造、又は特性は、１つ又は複数の実施例において、あらゆる適切な方法で結合され得る。本発明の実施例の完全な理解を提供するために、下記の説明では、配置の例、距離、ネットワーク例などのような、多数の特定の詳細が提供される。しかしながら、当業者は、発明が、１つ又は複数の特定の詳細なしで、又は他の方法、構成要素、配置などによって、実践されることができる、ということを認識するであろう。他の場合において、周知の構造、材料、及び動作は、本発明の態様を不明瞭にすることを回避するために、詳細に示されないとともに説明されない。
【００８９】
上述の例が１つ又は複数の特定のアプリケーションにおいて本発明の原理の実例となる一方、当業者には、実施の形式、使用、及び詳細における多数の修正が、発明力の課題なしで、そして本発明の原理及び概念からはずれずに行われ得る、ということが明確であろう。したがって、添付の請求項を除いて本発明が限定されるということは意図されない。
【図１Ａ】
2016510583.tif 000003
【図１Ｂ】
2016510583.tif 000004
【図２】
2016510583.tif 000005
【図３】
2016510583.tif 000006
【図４】
2016510583.tif 000007
【図５】
2016510583.tif 000008
【図６】
2016510583.tif 000009
【図７】
2016510583.tif 000010
【図８】
2016510583.tif 000011
【図９】
2016510583.tif 000012
【図１０】
2016510583.tif 000013
【図１１】
2016510583.tif 000014
【図１２】
2016510583.tif 000015
【図１３】
2016510583.tif 000016
【国際調査報告】
2016510583.tif 000017
2016510583.tif 000018
2016510583.tif 000019